(57)【要約】【課題】  画質設定情報のみを変更可能にする。【解決手段】  ＣＰＵ１０は、画像変換装置４０による画像データの変換時に、その画像データに対して画質調整を行うために必要な画質設定情報を操作部８０等からの指示により複数の画質設定情報の中から選択し、１次記憶装置３０上に展開する。画像変換装置４０は、１次記憶装置３０からの画像データを変換するが、その際に画質制御装置４１が画像データに対してＣＰＵ１０により選択された画質設定情報に基づいて画質調整を行う。【選択図】        図１
2007258834.tif 000002
【特許請求の範囲】
【請求項１】
画像データを処理する画像処理装置において、
前記画像データの変換を行う画像変換手段と、該画像変換手段による前記画像データの変換時に、該画像データに対して画質調整を行うために必要な画質設定情報を複数の画質設定情報の中から選択する画質設定情報選択手段とを設けたことを特徴とする画像処理装置。
【請求項２】
請求項１記載の画像処理装置において、
前記画像変換手段は、前記画質設定情報選択手段によって選択された画質設定情報に基づいて前記画像データに対して画質調整を行う画質処理手段を有することを特徴とする画像処理装置。
【請求項３】
請求項１又は２記載の画像処理装置において、
前記画質設定情報を格納する書き換え不可メモリを設けたことを特徴とする画像処理装置。
【請求項４】
請求項１乃至３のいずれか一項に記載の画像処理装置において、
１次記憶装置を設けたことを特徴とする画像処理装置。
【請求項５】
請求項３記載の画像処理装置において、
１次記憶装置と、前記画質設定情報選択手段によって選択された前記画質設定情報を前記１次記憶装置に展開する画質設定情報展開手段とを設け、
該画質設定情報展開手段は、前記書き換え不可メモリに格納されている前記画質設定情報が前記画質設定情報選択手段によって選択された場合に、該画質設定情報を前記１次記憶装置に展開することを特徴とする画像処理装置。
【請求項６】
請求項１又は２記載の画像処理装置において、
可搬記憶装置を着脱可能な可搬記憶装置着脱手段を設けたことを特徴とする画像処理装置。
【請求項７】
請求項６記載の画像処理装置において、
前記可搬記憶装置には、前記画質設定情報が格納されていることを特徴とする画像処理装置。
【請求項８】
請求項７記載の画像処理装置において、
１次記憶装置と、前記画質設定情報選択手段によって選択された前記画質設定情報を前記１次記憶装置に展開する画質設定情報展開手段とを設け、
該画質設定情報展開手段は、前記可搬記憶装置に格納されている前記画質設定情報が前記画質設定情報選択手段によって選択された場合に、該画質設定情報を前記１次記憶装置に展開することを特徴とする画像処理装置。
【請求項９】
請求項１又は２記載の画像処理装置において、
２次記憶装置を設けたことを特徴とする画像処理装置。
【請求項１０】
請求項９記載の画像処理装置において、
前記２次記憶装置には、前記画質設定情報が格納されていることを特徴とする画像処理装置。
【請求項１１】
請求項１０記載の画像処理装置において、
１次記憶装置と、前記画質設定情報選択手段によって選択された前記画質設定情報を前記１次記憶装置に展開する画質設定情報展開手段とを設け、
該画質設定情報展開手段は、前記２次記憶装置に格納されている画質設定情報が前記画質設定情報選択手段によって選択された場合に、該画質設定情報を前記１次記憶装置に展開することを特徴とする画像処理装置。
【請求項１２】
請求項１乃至１１のいずれか一項に記載の画像処理装置において、
前記画質設定情報にヘッダ領域が含まれていることを特徴とする画像処理装置。
【請求項１３】
請求項１２記載の画像処理装置において、
前記画質設定情報のヘッダ情報に該画質設定情報の格納場所を示す情報が含まれていることを特徴とする画像処理装置。
【請求項１４】
請求項１２記載の画像処理装置において、
前記画質設定情報のヘッダ情報に該画質設定情報の個数を示す情報が含まれていることを特徴とする画像処理装置。
【請求項１５】
請求項１２記載の画像処理装置において、
前記画質設定情報のヘッダ情報に該画質設定情報の内容を示す情報が含まれていることを特徴とする画像処理装置。
【請求項１６】
請求項１２記載の画像処理装置において、
前記画質設定情報のヘッダ情報を表示するヘッダ情報表示手段を設けたことを特徴とする画像処理装置。
【請求項１７】
請求項５記載の画像処理装置において、
前記画質設定情報が格納されている可搬記憶装置を着脱可能な可搬記憶装置着脱手段と、前記画質設定情報が格納されている２次記憶装置とを設け、
前記画質設定情報展開手段は、前記書き換え不可メモリ，前記可搬記憶装置，前記２次記憶装置に格納されている前記画質設定情報の中から前記画像データに対して画質調整を行うために必要な画質設定情報が選択された場合に、該画質設定情報を前記１次記憶装置に展開することを特徴とする画像処理装置。
【請求項１８】
請求項１７記載の画像処理装置において、
前記画質設定情報展開手段は、前記書き換え不可メモリに画質設定情報が格納されていない場合でも、前記可搬記憶装置，前記２次記憶装置に格納されている前記画質設定情報の中から前記画像データに対して画質調整を行うために必要な画質設定情報が選択された場合に、該画質設定情報を前記１次記憶装置に展開することを特徴とする画像処理装置。
【請求項１９】
請求項２記載の画像処理装置において、
前記画像変換手段は、前記画質設定情報が存在しない場合に、前記画質処理手段を使用せずに前記画像データの変換を行う手段を有することを特徴とする画像処理装置。
【請求項２０】
請求項２記載の画像処理装置において、
前記画像変換手段は、前記画質設定情報が複数存在する場合でも、前記画質処理手段を使用せずに前記画像データの変換を行う手段を有することを特徴とする画像処理装置。
【請求項２１】
請求項３記載の画像処理装置において、
前記画像変換手段は、前記書き換え不可メモリに格納されている画質設定情報が１つのみの場合でも、常に前記画質処理手段を使用して前記画像データの変換を行う手段を有することを特徴とする画像処理装置。
【請求項２２】
請求項２記載の画像処理装置において、
前記画質処理手段が必要か否かを選択する要否選択手段を設けたことを特徴とする画像処理装置。
【請求項２３】
請求項１７記載の画像処理装置において、
前記画質設定情報選択手段は、前記画像データに対して画質調整を行うために必要な画質設定情報として、前記書き換え不可メモリに格納されている画質設定情報、あるいは前記可搬記憶装置又は前記２次記憶装置に格納されている前記画質設定情報を初期設定時に自動選択する手段を有することを特徴とする画像処理装置。
【請求項２４】
請求項２記載の画像処理装置において、
前記画質設定情報選択手段は、前記画像データに対して画質調整を行うために必要な画質設定情報を常に設定しないで画像変換手段に前記画像データの変換を行わせるためのモードを初期設定時に自動選択する手段を有することを特徴とする画像処理装置。
【発明の詳細な説明】
【技術分野】
【０００１】
この発明は、プリンタ，複写機，複合機（例えばスキャナ，複写機，プリンタからなる）等の画像形成装置、スキャナ単体、パーソナルコンピュータなどの画像処理装置に関し、特に画像変換機能に関する。
【背景技術】
【０００２】
上記のような画像処理装置として、例えば特許文献１に見られるように、画像データを変換する機能を備えたものがある。
このような画像形成装置では、例えば図２８に示すように、ＲＯＭ２０に１つの画質設定情報Ａが格納されており、ＣＰＵ１０が画像変換装置４０によって画像データを変換する際に、その画質設定情報Ａを１次記憶装置３０に展開し、それを画像変換装置４０の画質制御装置４１に入力することにより、その画質制御装置４１が上記画像データに対して画質処理（画質調整）を行うようにしている。
【特許文献１】特開２００１−１１２００５号公報
【発明の開示】
【発明が解決しようとする課題】
【０００３】
しかしながら、上述したような画像形成装置では、画質設定情報がＲＯＭに格納され、制御プログラムと同一状態になっているため、その画質設定情報のみしか使用することができなかった。画質設定情報の変更が必要になった場合には、その変更をシステム毎に行う必要がある。
この発明は、上記の点に鑑みてなされたものであり、画質設定情報のみを変更可能にして、画像データの変換時に行う画質処理を多様化できるようにすることを目的とする。
【課題を解決するための手段】
【０００４】
この発明は、画像データを処理する画像処理装置において、上記の目的を達成するため、以下のようにしたことを特徴とする。
請求項１の発明による画像処理装置は、上記画像データの変換を行う画像変換手段と、該画像変換手段による上記画像データの変換時に、該画像データに対して画質調整を行うために必要な画質設定情報を複数の画質設定情報の中から選択する画質設定情報選択手段とを設けたものである。
【０００５】
請求項２の発明による画像処理装置は、請求項１の画像処理装置において、上記画像変換手段が、上記画質設定情報選択手段によって選択された画質設定情報に基づいて上記画像データに対して画質調整を行う画質処理手段を備えたものである。
請求項３の発明による画像処理装置は、請求項１又は２の画像処理装置において、上記画質設定情報を格納する書き換え不可メモリを設けたものである。
請求項４の発明による画像処理装置は、請求項１〜３のいずれかの画像処理装置において、１次記憶装置を設けたものである。
【０００６】
請求項５の発明による画像処理装置は、請求項３の画像処理装置において、１次記憶装置と、上記画質設定情報選択手段によって選択された前記画質設定情報を上記１次記憶装置に展開する画質設定情報展開手段とを設け、該画質設定情報展開手段が、上記書き換え不可メモリに格納されている前記画質設定情報が上記画質設定情報選択手段によって選択された場合に、該画質設定情報を上記１次記憶装置に展開するものである。
請求項６の発明による画像処理装置は、請求項１又は２の画像処理装置において、可搬記憶装置を着脱可能な可搬記憶装置着脱手段を設けたものである。
請求項７の発明による画像処理装置は、請求項６の画像処理装置において、上記可搬記憶装置には、上記画質設定情報が格納されているものである。
【０００７】
請求項８の発明による画像処理装置は、請求項７の画像処理装置において、１次記憶装置と、上記画質設定情報選択手段によって選択された前記画質設定情報を上記１次記憶装置に展開する画質設定情報展開手段とを設け、該画質設定情報展開手段が、上記可搬記憶装置に格納されている前記画質設定情報が上記画質設定情報選択手段によって選択された場合に、該画質設定情報を上記１次記憶装置に展開するものである。
請求項９の発明による画像処理装置は、請求項１又は２の画像処理装置において、２次記憶装置を設けたものである。
請求項１０の発明による画像処理装置は、請求項９の画像処理装置において、上記２次記憶装置には、上記画質設定情報が格納されているものである。
【０００８】
請求項１１の発明による画像処理装置は、請求項１０の画像処理装置において、１次記憶装置と、上記画質設定情報選択手段によって選択された前記画質設定情報を上記１次記憶装置に展開する画質設定情報展開手段とを設け、該画質設定情報展開手段が、上記２次記憶装置に格納されている前記画質設定情報が上記画質設定情報選択手段によって選択された場合に、該画質設定情報を上記１次記憶装置に展開するものである。
請求項１２の発明による画像処理装置は、請求項１〜１１のいずれかの画像処理装置において、上記画質設定情報にヘッダ領域が含まれているものである。
請求項１３の発明による画像処理装置は、請求項１２の画像処理装置において、上記画質設定情報のヘッダ情報に該画質設定情報の格納場所を示す情報が含まれているものである。
【０００９】
請求項１４の発明による画像処理装置は、請求項１２の画像処理装置において、上記画質設定情報のヘッダ情報に該画質設定情報の個数を示す情報が含まれているものである。
請求項１５の発明による画像処理装置は、請求項１２の画像処理装置において、上記画質設定情報のヘッダ情報に該画質設定情報の内容を示す情報が含まれているものである。
請求項１６の発明による画像処理装置は、請求項１２の画像処理装置において、上記画質設定情報のヘッダ情報を表示するヘッダ情報表示手段を設けたものである。
【００１０】
請求項１７の発明による画像処理装置は、請求項５の画像処理装置において、上記画質設定情報が格納されている可搬記憶装置を着脱可能な可搬記憶装置着脱手段と、上記画質設定情報が格納されている２次記憶装置とを設け、上記画質設定情報展開手段が、上記書き換え不可メモリ，上記可搬記憶装置，上記２次記憶装置に格納されている上記画質設定情報の中から上記画像データに対して画質調整を行うために必要な画質設定情報が選択された場合に、該画質設定情報を上記１次記憶装置に展開するものである。
【００１１】
請求項１８の発明による画像処理装置は、請求項１７の画像処理装置において、上記画質設定情報展開手段が、上記書き換え不可メモリに画質設定情報が格納されていない場合でも、上記可搬記憶装置，上記２次記憶装置に格納されている上記画質設定情報の中から上記画像データに対して画質調整を行うために必要な画質設定情報が選択された場合に、該画質設定情報を上記１次記憶装置に展開するものである。
請求項１９の発明による画像処理装置は、請求項２の画像処理装置において、上記画像変換手段に、上記画質設定情報が存在しない場合に、上記画質処理手段を使用せずに上記画像データの変換を行う手段を備えたものである。
【００１２】
請求項２０の発明による画像処理装置は、請求項２の画像処理装置において、上記画像変換手段に、上記画質設定情報が複数存在する場合でも、上記画質処理手段を使用せずに上記画像データの変換を行う手段を備えたものである。
請求項２１の発明による画像処理装置は、請求項３の画像処理装置において、上記画像変換手段に、上記書き換え不可メモリに格納されている画質設定情報が１つのみの場合でも、常に上記画質処理手段を使用して上記画像データの変換を行う手段を備えたものである。
【００１３】
請求項２２の発明による画像処理装置は、請求項２の画像処理装置において、上記画質処理手段が必要か否かを選択する要否選択手段を設けたものである。
請求項２３の発明による画像処理装置は、請求項１７の画像処理装置において、上記画質設定情報選択手段に、上記画像データに対して画質調整を行うために必要な画質設定情報として、上記書き換え不可メモリに格納されている画質設定情報、あるいは上記可搬記憶装置又は上記２次記憶装置に格納されている上記画質設定情報を初期設定時に自動選択する手段を備えたものである。
【００１４】
請求項２４の発明による画像処理装置は、請求項２の画像処理装置において、上記画質設定情報選択手段に、上記画像データに対して画質調整を行うために必要な画質設定情報を常に設定しないで画像変換手段に上記画像データの変換を行わせるためのモードを初期設定時に自動選択する手段を備えたものである。
【発明の効果】
【００１５】
この発明によれば、画像処理装置が、画像変換手段による画像データの変換時に、その画像データに対して画質調整を行うために必要な画質設定情報を複数の画質設定情報の中から選択できるため、画質設定情報のみを変更可能にして、画像データの変換時に行う画質処理を多様化することができる。
【発明を実施するための最良の形態】
【００１６】
以下、この発明を実施するための最良の形態を図面に基づいて具体的に説明する。
図１はこの発明を実施する画像形成装置の制御系の要部構成例を示すブロック図であり、図２８と対応する部分には同一符号を付している。
この画像形成装置は、プリンタ，複写機，複合機等であり、ＣＰＵ１０、ＲＯＭ２０、１次記憶装置３０、画像変換装置４０、ＨＤＤ（ハードディスク装置）５０、情報入出装置６０，７０、および操作部８０を備えている。
【００１７】
ＣＰＵ１０は、ＲＯＭ２０内のプログラムに従ってこの画像形成装置全体を統括的に制御する中央処理装置である。このＣＰＵ１０は、画質設定情報選択手段としての機能を有しており、画像変換装置４０による画像データの変換時に、その画像データに対して画質調整を行うために必要な画質設定情報を操作部８０等からの指示により複数の画質設定情報の中から選択する。
ＲＯＭ２０は、ＣＰＵ１０が実行するプログラムの他に、上述した画質調整を行う際に使用可能な画質設定情報（ここでは「画質設定情報Ａ」とする）を格納している書き換え不可メモリである。
【００１８】
１次記憶装置３０は、図示しない画像読取部（スキャナ等）あるいは外部のホスト（パーソナルコンピュータ等）からの画像データや、各種の画質設定情報を一時的に格納できるＲＡＭ等の書き換え可能なメモリである。
画像変換装置４０は、１次記憶装置３０からの画像データの変換（画像変換）を行う画像変換手段である。画像データの変換（書式変換，符号化等）は、その画像データをＨＤＤ５０等の記憶装置に蓄積したり、プリント出力したり、外部へ送信する際などに行う。この画像変換装置４０は、画質制御装置４１を備えている。その画質制御装置４１は、画像変換装置４０による画像データの変換時に、その画像データに対してＣＰＵ１０により選択された画質設定情報に基づいて画質調整（画質処理）を行う画質処理手段である。
【００１９】
ＨＤＤ５０は、ＲＯＭ２０内の画質設定情報Ａとは異なる画質設定情報（ここでは「画質設定情報Ｂ」とする）を格納している２次記憶装置である。
情報入出装置６０，７０はそれぞれ、図示しないＳＤメモリカードスロットに挿着（装着）されたＳＤメモリカード６１，７１に対して情報の入出力を行う情報入出手段である。
ＳＤメモリカード６１は、ＲＯＭ２０，ＨＤＤ５０内の画質設定情報Ａ，Ｂとは異なる画質設定情報（ここでは「画質設定情報Ｃ」とする）を格納している可搬記憶手段である。
【００２０】
ＳＤメモリカード７１は、ＲＯＭ２０，ＨＤＤ５０，ＳＤメモリカード６１内の画質設定情報Ａ，Ｂ，Ｃとは異なる画質設定情報（ここでは「画質設定情報Ｄ」とする）を格納している可搬記憶手段である。
なお、ＳＤメモリカードスロットは、ＳＤメモリカードを着脱可能な可搬記憶装置着脱手段である。
操作部８０は、各種設定等を行うための入力部と、各種情報を表示する表示部とを備えている。
このように、従来では、常にＲＯＭ２０に存在していた画質設定情報であるが、それを他の記憶装置に分散させている。
【００２１】
ここで、この実施例では、図１に示すように、ＲＯＭ２０内の画質設定情報Ａ以外に、ＨＤＤ５０およびＳＤメモリカード６１，７１を利用して、１次記憶装置３０経由で複数の画質設定情報Ｂ，Ｃ，Ｄを画質制御装置４１に入力可能にしている。
また、２枚のＳＤメモリカード６１，７１内の画質設定情報Ｃ，Ｄを画質制御装置４１に入力するために、２つの情報入出装置６０，７０を備えている。なお、一方の情報入出装置に対応するＳＤメモリカードを画像形成装置が使用する固定的な記憶装置として扱い、もう一方の情報入出装置に対応するＳＤメモリカードを画像形成装置のデータ出力や画像形成装置へのデータ入力の用途として使うこともできる。
【００２２】
次に、画像変換装置４０による処理について説明する。
図２は、画質制御装置４１による画質処理を説明するための説明図である。
画質制御装置４１は、画質設定情報が変更されることにより、図２に示すように、ぼかし、モザイク、中間値抽出のように、画像データの画質を調整することができる。
図３は、画像変換装置４０による画像変換時の処理の流れの一例を示す図である。
【００２３】
ＣＰＵ１０は、ＲＯＭ２０、ＨＤＤ５０、ＳＤメモリカード６１内の画質設定情報Ａ，Ｂ，Ｃのいずれかを１次記憶装置３０に転送して展開した後、画質制御装置４１にパラメータとして入力する。
その後、画像変換要求と共に、１次記憶装置３０に格納されている画像データを画像変換装置４０に入力し、その画像変換装置４０による画像データの変換結果を１次記憶装置３０の空いている領域に転送して書き込む。
【００２４】
次に、画質設定情報ついて説明する。
図４は、画質設定情報の一例を示す図である。
この画質設定情報は、ヘッダ情報として、格納場所と格納番号を持ち、また画質設定情報の内容について名前を持っている。それ以下に、画質設定情報に必要な数値データを持っている。
【００２５】
図５は、ヘッダ情報の一例を示す図である。
Ａの数値は格納場所を示し、格納場所識別数値として利用される。
ここでは、０：ＲＯＭ２０（書き換え不可メモリ）、１：ＨＤＤ５０（２次記憶装置）、２：ＳＤメモリカード６１，７１（可搬記憶装置）を示している。
Ｂの数値は各記憶装置内の画質設定情報の格納個数を示し、Ｃの文字列は画質設定情報の種類を示している。
【００２６】
図６は、複数の記憶装置に画質設定情報が存在する場合に、どの画質設定情報を使用して画像変換を行うのか、その画像変換で使用する画質設定情報を選択させる際に表示する操作部８０上の操作画面の一例を示す図である。
この操作画面において、１０１は現在の状態を表示する状態表示部である。１０２は、各画質設定情報の格納位置を表示する画質設定情報格納位置表示部である。１０３は、各画質設定情報の内容を表示する画質設定情報内容表示部である。
【００２７】
画質設定情報内容表示部１０３に、ＲＯＭ２０、ＨＤＤ５０、ＳＤメモリカード６１（ＳＤ１）にそれぞれ格納されている画像設定情報を表示すれば、それらのいずれかをユーザに選択させることができる。ここでは、ＲＯＭ２０に格納されている「デフォルト１」が選択され、白黒表示が反転される（図６では網掛けで示す）。
もし、ここで「スルー」キー１０４が選択（押下）されると、画像変換装置４０が画質処理（画質調整）をスルーして（画質処理を行なわずに）画像変換を行うことができる。つまり、画像データの変換時にその画像データに対して画質調整を禁止することができる。
【００２８】
画質設定情報の選択が終了し、「開始」キー１０５が選択された場合には、画像変換装置４０がその選択された画質設定情報を使用して画像変換（実際には画像データの画質処理を含む画像変換）を実行することができる。
なお、ＲＯＭ２０に画質設定情報が存在しなくても、ＨＤＤ５０かＳＤメモリカード６１に格納されている画質設定情報が選択されることにより、画像変換装置４０がその選択された画質設定情報を使用して画像変換を実行することもできる。
【００２９】
図７は、画像変換を開始し、進行状態を知らせる操作部８０上の操作画面の一例を示す図である。
この操作画面において、１０８は画像変換の進行状態を知らせる画像変換進行状態表示部である。この画像変換進行状態表示部１８０では、画像変換の進行状態をバーによって知らせるようにしている。また、画像変換が開始すると、状態表示部１０１に、画像変換の実行中を知らせる文字列が表示される。
【００３０】
図８は、画質設定情報が１つだけしか存在しない場合（常に１つの画質設定情報のみを使用して画像変換を行う場合）に表示する操作部８０上の操作画面の一例を示す図である。
この操作画面では、図６の「開始」キー１０５の選択によって画像変換の開始が指示されると、画像変換装置４０がＲＯＭ２０のみにあるただ１つだけの画質設定情報である「デフォルト１」を使用して画像変換を行っていることを知らせる文字列が状態表示部１０１に表示される。
【００３１】
図９は、画質設定情報が一つだけしか存在しない場合に表示される画質設定情報を使用して画像変換を行うか、その画質設定情報を使用せず画質処理をスルーして画像変換を行うかを選択させる際に表示する操作部８０上の操作画面の一例を示す図である。
ここでは、ＲＯＭ２０に１つだけの画質設定情報である「デフォルト１」を持っているが、「スルー」キー１０４が選択された場合には、画像変換装置４０が「デフォルト１」を使用せず画質処理をスルーして画像変換を行い、操作部８０に図７に示した表示を行うことができる。「開始」キー１０５が選択された場合には、画像変換装置４０がＲＯＭ２０の「デフォルト１」を使用して画像変換を行い、操作部８０に図８に示した表示を行うことができる。
【００３２】
図１０は、画質設定情報が存在せず、画質処理をスルーして画像変換を行っている場合に表示される操作部８０上の操作画面の一例を示す図である。
ここでは、画質設定情報がどの記憶装置にも存在せず、画質処理が無効となっているため、画像変換装置４０が常に画質設定情報を使用せず画質処理をスルーさせて画像変換を行う。
【００３３】
なお、画質設定情報がどの記憶装置にも存在しない場合には、電源投入時等の初期設定の際に、常に画質処理をスルーして画像変換を行う制御を設定するようにしてもよい。
また、常に画質処理を含む（画質処理をスルーしない）画像変換を行う制御を実行する場合には、図６に示した画質設定情報を選択するための画面か、図７に示した画像変換の実行中を知らせる画面を操作部８０上に表示する。
【００３４】
図１１は、ＣＰＵ１０によるこの発明に関わる処理のメインルーチンの一例を示すフローチャートである。
ＣＰＵ１０は、電源投入により、ステップＳ１で初期チェックを行い、ステップＳ２で設定を行う。
図１２は、図１１における初期チェックのサブルーチンの一例を示すフローチャートである。
ＣＰＵ１０は、ステップＳ１１で初期設定を行なう。
【００３５】
図１３は、図１２における初期設定のサブルーチンの一例を示すフローチャートである。
ＣＰＵ１０は、ステップＳ３１で画質設定情報の有無によらず画質処理を常にスルーするモードの設定の有無をチェックする。
そして、画質処理を常にスルーするモードが設定されていない場合にはステップＳ３２へ、画質処理を常にスルーするモードが設定されている場合には初期チェックの処理を終了して図１２の初期チェックのサブルーチンへリターンする。
【００３６】
ステップＳ３２では、ＲＯＭ２０以外の記憶装置内の画質設定情報を使用するモードの設定の有無をチェックする。
そして、ＲＯＭ２０以外の記憶装置内の画質設定情報を使用するモードが設定されている場合にはステップＳ３３へ、その画質設定情報を使用しないモードが設定されている場合にはステップＳ３４へそれぞれ移行する。
ステップＳ３３では、ＨＤＤ５０，ＳＤメモリカード６１の構成をチェックするモードを設定する。
【００３７】
ステップＳ３４では、ＲＯＭ２０内の画質設定情報が１つだけの時の動作モードの設定を選択し、画質設定情報を常に使用（設定）する場合には、ステップＳ３５へ移行する。画質設定情報による画質処理を常にスルーする場合には、ステップＳ３６へ移行する。画像変換を行う度に画質設定情報等の選択を可能にする場合には、ステップＳ３７へそれぞれ移行する。
ステップＳ３５では、他の画質設定情報が見当たらないので、ＲＯＭ２０に１つだけある画質設定情報を常に使用して画質処理を含む画像変換を行なうモードを設定する。
【００３８】
ステップＳ３６では、ＲＯＭ２０に１つだけある画質設定情報による画質処理を常にスルーして画像変換を行うモードを設定する。
ステップＳ３７では、ＲＯＭ２０に１つだけある画質設定情報を常に使用して画質処理を含む画像変換を行うか、その画質処理をスルーして画像変換を行うかをユーザに選択させるためのモードを設定する。
これで、初期設定の処理を完了して、図１２の初期チェックのサブルーチンにリターンする。
【００３９】
そのサブルーチンにリターンすると、ステップＳ１２で各記憶装置に格納されている画質設定情報のヘッダのチェック（画質設定情報ヘッダチェック）を行う。
図１４は、図１２における画質設定情報ヘッダチェックのサブルーチンの一例を示すフローチャートである。
【００４０】
ＣＰＵ１０は、ステップＳ４１でＨＤＤ５０，ＳＤメモリカード６１もチェックするか否かを判断する。
そして、ステップＳ３３でＲＯＭ２０以外の記憶装置であるＨＤＤ５０，ＳＤメモリカード６１の構成をチェックするモードが設定されている場合には、ＨＤＤ５０，ＳＤメモリカード６１もチェックすると判断して、ステップＳ４２へ移行する。ＨＤＤ５０，ＳＤメモリカード６１の構成をチェックするモードが設定されていない場合には、ＨＤＤ５０，ＳＤメモリカード６１もチェックしないと判断して、ステップＳ４３へ移行する。
【００４１】
ステップＳ４２では、ＲＯＭ２０，ＨＤＤ５０，ＳＤメモリカード６１に格納されている画質設定情報のヘッダをチェックする。
ステップＳ４３では、ＲＯＭ２０に格納されている画質設定情報のヘッダのみをチェックする。
これで、画質設定情報ヘッダチェックの処理を完了して、図１２の初期チェックのサブルーチンにリターンする。
【００４２】
そのサブルーチンにリターンすると、ステップＳ１３で各記憶装置に格納されている画質設定情報の個数のチェック（画質設定情報個数チェック）を行う。
図１５は、図１２における画質設定情報個数チェックのサブルーチンの一例を示すフローチャートである。
【００４３】
ＣＰＵ１０は、ステップＳ５１でＨＤＤ５０，ＳＤメモリカード６１もチェックするか否かを判断する。
そして、ステップＳ３３でＨＤＤ５０，ＳＤメモリカード６１の構成をチェックするモードが設定されている場合には、ＨＤＤ５０，ＳＤメモリカード６１もチェックすると判断して、ステップＳ５２へ移行する。ＨＤＤ５０，ＳＤメモリカード６１の構成をチェックするモードが設定されていない場合には、ＨＤＤ５０，ＳＤメモリカード６１もチェックしないと判断して、ステップＳ５３へ移行する。
【００４４】
ステップＳ５２では、ＲＯＭ２０，ＨＤＤ５０，ＳＤメモリカード６１に格納されている画質設定情報のヘッダからその画質設定情報の個数をチェックする。
ステップＳ５３では、ＲＯＭ２０に格納されている画質設定情報のヘッダのみからその画質設定情報の個数をチェックする。
これで、画質設定情報個数チェックの処理を完了して、図１２の初期チェックのサブルーチンにリターンする。
【００４５】
そのサブルーチンにリターンすると、ステップＳ１４で格納場所識別数値を参照してＲＯＭ２０における画質設定情報の有無をチェックする。
そして、ＲＯＭ２０に画質設定情報があればステップ１５へ、なければステップ１９へそれぞれ移行する。
ステップ１５では、ＨＤＤ５０，ＳＤメモリカード６１における画質設定情報の有無をチェックする。
【００４６】
そして、ステップＳ３３，ステップＳ４２，ステップＳ５２により、ＨＤＤ５０又はＳＤメモリカード６１に画質設定情報があると判断すればステップＳ２２へ、なければステップＳ１６へそれぞれ移行する。
ステップＳ１６では、ＲＯＭ２０に格納されている画質設定情報は１つだけか否かをチェックする。
そして、ステップＳ３３，ステップＳ４２，ステップＳ５２により、ＲＯＭ２０に格納されている画質設定情報は１つだけと判断すればステップＳ１７へ、２つ以上と判断すればステップＳ２３へそれぞれ移行する。
【００４７】
ステップＳ１７では、ＲＯＭ２０に１つだけ格納されている画質設定情報を常に設定（使用）するか否かをチェックする。
そして、ステップＳ３５により、ＲＯＭ２０に１つだけ格納されている画質設定情報を常に設定すると判断すればステップＳ１８へ、そうでないと判断すればステップＳ２４へそれぞれ移行する。
ステップＳ１９では、ＨＤＤ５０，ＳＤメモリカード６１における画質設定情報の有無をチェックする。
【００４８】
そして、ステップＳ３３，ステップＳ４２，ステップＳ５２により、ＨＤＤ５０又はＳＤメモリカード６１に画質設定情報があると判断すればステップＳ２０へ、そのいずれの記憶装置にも画質設定情報がないと判断すればステップＳ２１へそれぞれ移行する。
ステップＳ２０では、ステップＳ３３，ステップＳ４２，ステップＳ５２により、ＨＤＤ５０又はＳＤメモリカード６１に格納されている画質設定情報の中から画質処理を行うために必要な画質設定情報をユーザに選択させるためのモードを設定し、初期チェックの処理を終了する。
【００４９】
ステップＳ２１では、画質設定情報が存在しないので、画質処理を常にスルーするモードを設定し、初期チェックの処理を終了する。
ステップＳ２２では、ステップＳ３３，ステップＳ４２，ステップＳ５２により、ＲＯＭ２０，ＨＤＤ５０，又はＳＤメモリカード６１に格納されている画質設定情報の中から画質処理を行うために必要な画質設定情報をユーザに選択させるためのモードを設定し、初期チェックの処理を終了する。
【００５０】
ステップＳ２３では、ステップＳ４３，ステップＳ５３により、ＲＯＭ２０に格納されている複数の画質設定情報の中から画質処理を行うために必要な画質設定情報をユーザに選択させるためのモードを設定し、初期チェックの処理を終了する。
ステップＳ１８では、ステップＳ３５，ステップＳ４３，ステップＳ５３により、ＲＯＭ２０に１つだけ格納されている画質設定情報を常に使用するモードを設定し、初期チェックの処理を終了する。
ステップＳ２４では、ＲＯＭ２０に格納されている画質設定情報を使用して画質処理を行うか、画質処理をスルーするかをユーザに選択させるためのモードを設定し、初期チェックの処理を終了する。
これで、初期チェックの処理を完了して、図１１のメインルーチンにリターンする。
【００５１】
図１６は、図１１における設定のサブルーチンの一例を示すフローチャートである。
ＣＰＵ１０は、ステップＳ６１で画像変換要求が発生したか否かをチェックし、変換要求が発生していればステップＳ６２へ、画像変換要求が発生していなければ設定の処理を終了して図１１のルーチンへリターンする。
ステップＳ６２では、ステップＳ３１により、画質処理を常にスルーするモードが設定されていることを確認しているか否かを判断する。
そして、画質処理を常にスルーするモードが設定されていることを確認している場合には、ステップＳ７０へ、そうでなければステップＳ６３へそれぞれ移行する。
【００５２】
ステップＳ６３では、ステップＳ１８，ステップＳ２０，ステップＳ２１，ステップＳ２２，ステップＳ２３，ステップＳ２４により、初期チェックの処理結果の内容を確認する。
そして、ステップＳ６４でその確認した内容から画質設定情報が複数存在し、その中から画質処理を行うために必要な画質設定情報をユーザに選択させる必要があるかどうかを確認する。
【００５３】
そして、画質設定情報が複数存在し、その中から画質処理を行うために必要な画質設定情報をユーザに選択させる必要がある場合、つまりステップＳ２０，ステップＳ２２，ステップＳ２３，又はステップＳ２４による設定がなされていた場合には、ステップＳ６５へ移行する。画質設定情報が複数存在しない場合、つまりステップＳ２１又はステップＳ１８による設定がなされていた場合には、ステップＳ７１へ移行する。
【００５４】
ステップＳ６５では、複数の画質設定情報の中から画質処理を行うために必要な画質設定情報をユーザに選択させるべく、操作部８０上に選択項目を表示する。
すなわち、ステップＳ２０により、ＨＤＤ５０又はＳＤメモリカード６１に格納されている画質設定情報の中から画質処理を行うために必要な画質設定情報をユーザに選択させるためのモードが設定されている場合には、例えば図１７に示すような操作画面を操作部８０上に表示する。
【００５５】
ステップＳ２２により、ＲＯＭ２０，ＨＤＤ５０，又はＳＤメモリカード６１に格納されている画質設定情報の中から画質処理を行うために必要な画質設定情報をユーザに選択させるためのモードが設定されている場合には、例えば図６に示したような操作画面を操作部８０上に表示する。
ステップＳ２３により、ＲＯＭ２０に格納されている複数の画質設定情報の中から画質処理を行うために必要な画質設定情報をユーザに選択させるためのモードが設定されている場合には、例えば図１８に示したような操作画面を操作部８０上に表示する。
【００５６】
ステップＳ２４により、ＲＯＭ２０に１つだけ格納されている画質設定情報を使用して画質処理を行うか、画質処理をスルーするかをユーザに選択させるためのモードが設定されている場合には、例えば図１９に示したような操作画面を操作部８０上に表示する。
操作部８０上に選択項目を表示した後、ステップＳ６６でユーザによって選択項目が選されると、ステップＳ６７で「スルー」キー１０４が選択されたか「開始」キー１０５が選択されたかをチェックする。
【００５７】
そして、「スルー」キー１０４が選択された場合には、ステップＳ７０に移行して画像変換装置４０に画像変換を行わせる。このとき、画像変換装置４０は画質処理をスルーして画像変換を行う。
「開始」キー１０５が選択された場合には、ステップＳ６８へ移行する。
ステップＳ６８では、選択された選択項目の画質設定情報を１次記憶装置３０上に展開する。
【００５８】
図２０は、ステップＳ２３により、ＲＯＭ２０に格納されている複数の画質設定情報の中から画質処理を行うために必要な画質設定情報をユーザに選択させるためのモードが設定された場合における処理の流れの一例を示す図である。
ここでは、ＲＯＭ２０に格納されている画質設定情報Ａを選択したものとみなされる。
【００５９】
図２１は、ステップＳ２２により、ＲＯＭ２０，ＨＤＤ５０，又はＳＤメモリカード６１に格納されている画質設定情報の中から画質処理を行うために必要な画質設定情報をユーザに選択させるためのモードが設定されている場合における処理の流れの一例を示す図である。この例は、ＲＯＭ２０とＨＤＤ５０にそれぞれ複数の画質設定情報が格納されている場合のケースである。
ここでは、ＨＤＤ５０に格納されている画質設定情報Ｃを選択したものとみなされる。
【００６０】
図２２は、ステップＳ２２により、ＲＯＭ２０，ＨＤＤ５０，又はＳＤメモリカード６１に格納されている画質設定情報の中から画質処理を行うために必要な画質設定情報をユーザに選択させるためのモードが設定されている場合における処理の流れの他の例を示す図である。この例は、ＲＯＭ２０とＨＤＤ５０とＳＤメモリカード６１（ＳＤ１）にそれぞれ複数の画質設定情報が格納されている場合のケースである。
ここでは、ＳＤメモリカード６１に格納されている画質設定情報Ｅを選択したものとみなされる。
【００６１】
図２３は、ステップＳ２０により、ＨＤＤ５０又はＳＤメモリカード６１に格納されている画質設定情報の中から画質処理を行うために必要な画質設定情報をユーザに選択させるためのモードが設定されている場合における処理の流れの一例を示す図である。この例は、ＲＯＭ２０には画質設定情報がなく、ＨＤＤ５０にのみ複数の画質設定情報が格納されている場合のケースである。
ここでは、ＨＤＤ５０に格納されている画質設定情報Ｄを選択したものとみなされる。
【００６２】
図２４は、ステップＳ２０により、ＨＤＤ５０又はＳＤメモリカード６１に格納されている画質設定情報の中から画質処理を行うために必要な画質設定情報をユーザに選択させるためのモードが設定されている場合における処理の流れの他の例を示す図である。この例は、ＲＯＭ２０には画質設定情報がなく、ＳＤメモリカード６１にのみ複数の画質設定情報が格納されている場合のケースである。
ここでは、ＳＤメモリカード６１に格納されている画質設定情報Ｆを選択したものとみなされる。
【００６３】
図２５は、ステップＳ２０により、ＨＤＤ５０又はＳＤメモリカード６１に格納されている画質設定情報の中から画質処理を行うために必要な画質設定情報をユーザに選択させるためのモードが設定されている場合における処理の流れの更に他の例を示す図である。この例は、ＲＯＭ２０には画質設定情報がなく、２枚のＳＤメモリカード６１，７１にそれぞれ複数の画質設定情報が格納されている場合のケースである。
ここでは、ＳＤメモリカード７１（ＳＤ２）に格納されている画質設定情報Ｇを選択したものとみなされる。
【００６４】
図２６は、ステップＳ２４により、ＲＯＭ２０に１つだけ格納されている画質設定情報を使用して画質処理を行うか、画質処理をスルーするかをユーザに選択させるためのモードが設定されている場合における処理の流れの一例を示す図である。
ここでは、画質処理をスルーするモードが設定され、画質設定情報を画質制御装置４１に入力することなく、画像変換を行ったものとみなされる。
【００６５】
図１６の説明に戻る。
ステップＳ６９では、ＣＰＵ１０が、１次記憶装置３０上に展開した画質設定情報を画質制御装置４１に入力する。
続いて、ステップＳ７０で画像変換装置４０に画像変換を行わせる。この場合、画像変換装置４０の画質制御装置４１は、入力された画質設定情報を使用して画質処理を行う。
ステップＳ７１では、ステップＳ２１によって画質処理を常にスルーするモードが設定されていることを確認しているか否かを判断する。
そして、画質処理を常にスルーするモードが設定されていることを確認している場合にはステップＳ７０へ、そうでなければステップＳ７２へそれぞれ移行する。
【００６６】
ステップＳ７２では、ＲＯＭ２０に１つだけ画質設定情報があるので、これを常に１次記憶装置３０上に展開する。
図２７は、ステップＳ１８により、ＲＯＭ２０に１つだけ格納されている画質設定情報を常に使用するモードが設定されている場合における処理の流れの一例を示す図である。  ここでは、ＲＯＭ２０に１つだけ格納されている画質設定情報Ａを毎回選択して処理を行なう。
これで、設定の処理を完了する。
【００６７】
このように、変換する画像データに対して画質処理（画質調整）を施すために必要な画質設定情報を複数の画質設定情報の中から選択できる。画像変換装置は、その選択された画質設定情報を使用して画質処理を行う（選択した画質設定情報に基づいて画像データに対して画質処理を行う）。よって、画質設定情報のみを変更して画像データの変換時に行う画質処理を多様化でき、画質処理の幅を広げることができる。
さらに、以下の（１）〜（２０）に示す作用効果を得ることもできる。
【００６８】
（１）画質設定情報を書き換え不可メモリ（ＲＯＭ）に常に複数格納しておくことにより、画質処理に常に１つ以上のオプションを持たせることができる。
（２）１次記憶装置を備えることにより、画質設定情報を一次格納することができる。
（３）書き換え不可メモリの画質設定情報を１次記憶装置に展開することにより、その画質設定情報をソフト処理によって画像変換装置の画質制御装置に入力することができるため、処理効率が向上する。
【００６９】
（４）可搬記憶装置（ＳＤメモリカード）を着脱可能に備えることにより、その可搬記憶装置に画質設定情報を格納しておけ、その画質設定情報を使用して画質処理を行わせることができるので、画質設定情報の種類を更に増やして、画質処理の幅を更に広げることができる。複数の可搬記憶装置を着脱可能に備えることができれば、ある可搬記憶装置を固定的に使用し、他の搬記憶装置を流動的に使用することもできる。
【００７０】
（５）可搬記憶装置の画質設定情報を１次記憶装置に展開することにより、その画質設定情報をソフト処理によって画像変換装置の画質制御装置に入力することができるため、処理効率が向上する。
（６）２次記憶装置を備えることにより、その可搬記憶装置に各種の画質設定情報を格納しておけ、その各画質設定情報を選択的に使用して画質処理を行わせることができるので、画質設定情報の種類を大幅に増やして、画質処理の幅を更に広げることができる。また、変換された各種の画像データを蓄積しておくことができる。
【００７１】
（７）２次記憶装置の画質設定情報を１次記憶装置に展開することにより、その画質設定情報をソフト処理によって画像変換装置の画質制御装置に入力することができるため、処理効率が向上する。
（８）画質設定情報にヘッダ情報を組み込ませておくことにより、使用する画質設定情報の検索や識別を容易に行うことができる。
（９）画質設定情報のヘッダ情報にその画質設定情報の格納場所を示す情報を埋め込んでおくことにより、画質設定情報の格納場所を知ることができる。
【００７２】
（１０）画質設定情報のヘッダ情報にその画質設定情報の個数を示す情報を埋め込んでおくことにより、それぞれの記憶装置にいくつの画質設定情報が存在するのか知ることができる。
（１１）画質設定情報のヘッダ情報にその画質設定情報の内容を示す情報を埋め込んでおくことにより、画質設定情報の内容を容易に判別することができる。
（１２）画質設定情報のヘッダ情報を表示することにより、ユーザがどんな画質処理が可能なのか判断することができる。
【００７３】
（１３）画像データの変換時にその画像データに対して画質調整を行うために必要な画質設定情報を書き換え不可メモリ，可搬記憶装置，２次記憶装置に格納されている画質設定情報の中から選択して１次記憶装置に展開することにより、ユーザの好みに合わせた画像変換を画像変換装置に行わせることができる。
（１４）書き換え不可メモリに画質設定情報がない状態でも、可搬記憶装置や２次記憶装置の画質設定情報を用いることにより、画質処理を含む画像変換を画像変換装置に確実に行わせることができる。
（１５）画質設定情報が存在しない場合に、画質処理をスルー（禁止）し、画質設定情報による画質処理なしで画像変換装置に画像変換を行わせることができる。
【００７４】
（１６）書き換え不可メモリ，可搬記憶装置，２次記憶装置の全て又は一部に画質設定情報が存在する場合でも、画質処理をスルーすることにより、用途に応じた画像変換をユーザーに提供することができる。
（１７）書き換え不可メモリの画質設定情報が１つだけでも、それを常に設定することにより、デフォルトの画質処理で常に画像変換を画像変換装置に行わせることができる。
（１８）書き換え不可メモリの画質設定情報が１つだけでも、それを使用して画質処理を行うか、画質処理をスルーするかを選択させることにより、用途に応じた画質変換をユーザに提供することができる。
【００７５】
（１９）変換する画像データに対して画質調整を行うために必要な画質設定情報として、書き換え不可メモリに格納されている画質設定情報、あるいは可搬記憶装置又は２次記憶装置に格納されている画質設定情報を初期設定時に自動選択することにより、その場に応じた画像変換の画質設定情報の選択幅を狭めたり、広めたりすることができる。
（２０）変換する画像データに対して画質調整を行うために必要な画質設定情報を常に設定しないで画像変換装置にその画像データの変換を行わせるためのモードを初期設定時に自動選択することにより、画質処理なしの画像変換をデフォルト化することができる。
【００７６】
以上、この発明を画像形成装置に適用した実施例について説明したが、この発明はこれに限らず、スキャナ単体、パーソナルコンピュータなどの他の画像処理装置にも適用可能である。
【産業上の利用可能性】
【００７７】
以上の説明から明らかなように、この発明によれば、画質設定情報のみを変更可能にして、画像データの変換時に行う画質調整を多様化することができる。したがって、この発明を利用すれば、画像データの変換時に行う画質調整を多様化できる画像処理装置を提供することができる。
【図面の簡単な説明】
【００７８】
【図１】この発明を実施する画像形成装置の制御系の要部構成例を示すブロック図である。
【図２】図１の画質制御装置４１による画質処理を説明するための説明図である。
【図３】図１の画像変換装置４０による画像変換時の処理の流れの一例を示す図である。
【図４】画質設定情報の一例を示す図である。
【図５】その画質設定情報のヘッダ情報の一例を示す図である。
【００７９】
【図６】複数の記憶装置に画質設定情報が存在する場合に、どの画質設定情報を使用して画像変換を行うのか、その画像変換で使用する画質設定情報を選択させる際に表示する図１の操作部８０上の操作画面の一例を示す図である。
【図７】画像変換を開始し、進行状態を知らせる図１の操作部８０上の操作画面の一例を示す図である。
【図８】画質設定情報が１つだけしか存在しない場合に表示する操作部８０上の操作画面の一例を示す図である。
【図９】画質設定情報が一つだけしか存在しない場合に表示される画質設定情報を使用して画像変換を行うか、その画質設定情報を使用せず画質処理をスルーして画像変換を行うかを選択させる際に表示する図１の操作部８０上の操作画面の一例を示す図である。
【図１０】画質設定情報が存在せず、画質処理をスルーして画像変換を行っている場合に表示される図１の操作部８０上の操作画面の一例を示す図である。
【００８０】
【図１１】図１のＣＰＵ１０によるこの発明に関わる処理のメインルーチンの一例を示すフロー図である。
【図１２】図１１における初期チェックのサブルーチンの一例を示すフロー図である。
【図１３】図１２における初期設定のサブルーチンの一例を示すフロー図である。
【図１４】図１２における画質設定情報ヘッダチェックのサブルーチンの一例を示すフロー図である。
【図１５】図１２における画質設定情報個数チェックのサブルーチンの一例を示すフロー図である。
【００８１】
【図１６】図１１における設定のサブルーチンの一例を示すフロー図である。
【図１７】図１のＨＤＤ５０又はＳＤメモリカード６１に格納されている画質設定情報の中から画質処理を行うために必要な画質設定情報をユーザに選択させるためのモードが設定されている場合に表示される操作部８０上の操作画面の一例を示す図である。
【図１８】図１のＲＯＭ２０に格納されている複数の画質設定情報の中から画質処理を行うために必要な画質設定情報をユーザに選択させるためのモードが設定されている場合に表示される操作部８０上の操作画面の一例を示す図である。
【図１９】図１のＲＯＭ２０に１つだけ格納されている画質設定情報を使用して画質処理を行うか、画質処理をスルーするかをユーザに選択させるためのモードが設定されている場合に表示される操作部８０上の操作画面の一例を示す図である。
【図２０】図１のＲＯＭ２０に格納されている複数の画質設定情報の中から画質処理を行うために必要な画質設定情報をユーザに選択させるためのモードが設定された場合における処理の流れの一例を示す図である。
【００８２】
【図２１】図１のＲＯＭ２０，ＨＤＤ５０，又はＳＤメモリカード６１に格納されている画質設定情報の中から画質処理を行うために必要な画質設定情報をユーザに選択させるためのモードが設定されている場合における処理の流れの一例を示す図である。
【図２２】図１のＲＯＭ２０，ＨＤＤ５０，又はＳＤメモリカード６１に格納されている画質設定情報の中から画質処理を行うために必要な画質設定情報をユーザに選択させるためのモードが設定されている場合における処理の流れの他の例を示す図である。
【図２３】図１のＨＤＤ５０又はＳＤメモリカード６１に格納されている画質設定情報の中から画質処理を行うために必要な画質設定情報をユーザに選択させるためのモードが設定されている場合における処理の流れの一例を示す図である。
【図２４】図１のＨＤＤ５０又はＳＤメモリカード６１に格納されている画質設定情報の中から画質処理を行うために必要な画質設定情報をユーザに選択させるためのモードが設定されている場合における処理の流れの他の例を示す図である。
【図２５】図１のＨＤＤ５０又はＳＤメモリカード６１に格納されている画質設定情報の中から画質処理を行うために必要な画質設定情報をユーザに選択させるためのモードが設定されている場合における処理の流れの更に他の例を示す図である。
【００８３】
【図２６】図１のＲＯＭ２０に１つだけ格納されている画質設定情報を使用して画質処理を行うか、画質処理をスルーするかをユーザに選択させるためのモードが設定されている場合における処理の流れの一例を示す図である。
【図２７】図１のＲＯＭ２０に１つだけ格納されている画質設定情報を常に使用するモードが設定されている場合における処理の流れの一例を示す図である。
【図２８】従来の画像形成装置の制御系の要部構成例を示すブロック図である。
【符号の説明】
【００８４】
１０：ＣＰＵ    ２０：ＲＯＭ    ３０：１次記憶装置    ４０：画像変換装置
４１：画質制御装置    ５０：ＨＤＤ    ６０，７０：情報入出装置
６１，７１：ＳＤメモリカード    １０１：状態表示部
１０２：画質設定情報格納位置表示部    １０３：画質設定情報内容表示部
１０４：「スルー」キー    １０５：「開始」キー
【図１】
2007258834.tif 000003
【図３】
2007258834.tif 000004
【図４】
2007258834.tif 000005
【図５】
2007258834.tif 000006
【図６】
2007258834.tif 000007
【図９】
2007258834.tif 000008
【図１１】
2007258834.tif 000009
【図１２】
2007258834.tif 000010
【図１３】
2007258834.tif 000011
【図１４】
2007258834.tif 000012
【図１５】
2007258834.tif 000013
【図１６】
2007258834.tif 000014
【図１７】
2007258834.tif 000015
【図１８】
2007258834.tif 000016
【図１９】
2007258834.tif 000017
【図２０】
2007258834.tif 000018
【図２１】
2007258834.tif 000019
【図２２】
2007258834.tif 000020
【図２３】
2007258834.tif 000021
【図２４】
2007258834.tif 000022
【図２５】
2007258834.tif 000023
【図２６】
2007258834.tif 000024
【図２７】
2007258834.tif 000025
【図２８】
2007258834.tif 000026
【図２】
2007258834.tif 000027
【図７】
2007258834.tif 000028
【図８】
2007258834.tif 000029
【図１０】
2007258834.tif 000030